(57)【要約】【課題】便器（便座）に座った状態、起立した状態のいずれの場合も楽にリモコン操作部の操作ができる。【解決手段】トイレの壁１に取付けるホルダー２と、該ホルダー２に着脱自在に取付ける便器装置を操作するための制御信号を送信するリモコン３とよりなる便器用リモコン装置である。ホルダー２は、壁１に取付ける壁取付け部４と、前面にリモコン操作部５が設けられたリモコン３が前面部に着脱自在に取付けられるリモコン取付け部６とよりなる。リモコン取付け部６が壁取付け部４の前面に重なってリモコン操作部５が側方を向く姿勢と、壁取付け部４の前面から前方に突出してリモコン操作部５が上方又は斜め上方を向く姿勢とに位置変更切換え自在とする。【選択図】図１
2007092342.tif 000002
【特許請求の範囲】
【請求項１】
トイレの壁に取付けるホルダーと、該ホルダーに着脱自在に取付ける便器装置を操作するための制御信号を送信するリモコンとよりなる便器用リモコン装置であって、ホルダーが壁に取付ける壁取付け部と、前面にリモコン操作部が設けられたリモコンが前面部に着脱自在に取付けられるリモコン取付け部とよりなり、上記リモコン取付け部が壁取付け部の前面に重なってリモコン操作部が側方を向く姿勢と、リモコン取付け部が壁取付け部の前面から前方に突出してリモコン操作部が上方又は斜め上方を向く姿勢とに位置変更切換え自在として成ることを特徴とする便器用リモコン装置。
【発明の詳細な説明】
【技術分野】
【０００１】
本発明は、便器の洗浄操作などをリモコンで行うようにした便器用リモコン装置に関するものである。
【背景技術】
【０００２】
従来から便器の洗浄操作をリモコンで行うことが特許文献１により知られている。この特許文献１に示された従来例にあっては、トイレの壁に取付けるリモコン装置に起立者と着座者併用ボタンである便器洗浄ボタンがリモコンの上面と前面にまたがって取付けられ、起立した人が便器洗浄ボタンのリモコンの上面に露出した部分を上方からの操作で押したり、あるいは便器（便座）に着座した人が便器洗浄ボタンのリモコンの前面に露出した部分を側方からの操作で押したりして操作できるようにしたものである。
【０００３】
しかし、リモコンの便器洗浄ボタンを上方からの操作、側方からの操作のいずれの方向からの操作でもスイッチ操作できるようにするには便器洗浄ボタンの構造が複雑となり、コストも高くなる。
【特許文献１】特開２００２−７０１１５号公報
【発明の開示】
【発明が解決しようとする課題】
【０００４】
本発明は上記の従来の問題点に鑑みて発明したものであって、前面にリモコン操作部を設けただけであるにもかかわらず、簡単な構成で、便器（便座）に着座した状態でも、起立した状態でも楽にリモコン操作部の操作ができ、更に、ホルダーから取外した状態で、手に持って使用することもできる便器用リモコン装置を提供することを課題とするものである。
【課題を解決するための手段】
【０００５】
上記課題を解決するために本発明に係る便器用リモコン装置は、トイレの壁１に取付けるホルダー２と、該ホルダー２に着脱自在に取付ける便器装置を操作するための制御信号を送信するリモコン３とよりなる便器用リモコン装置であって、ホルダー２が壁１に取付ける壁取付け部４と、前面にリモコン操作部５が設けられたリモコン３が前面部に着脱自在に取付けられるリモコン取付け部６とよりなり、上記リモコン取付け部６が壁取付け部４の前面に重なってリモコン操作部５が側方を向く姿勢と、リモコン取付け部６が壁取付け部４の前面から前方に突出してリモコン操作部５が上方又は斜め上方を向く姿勢とに位置変更切換え自在として成ることを特徴とするものである。
【０００６】
このような構成とすることで、リモコン取付け部６が壁取付け部４に対して壁取付け部４の前面に重なった姿勢にすることで、リモコン取付け部６に取付けたリモコン３の前面に配置したリモコン操作部５を側方に向けて位置させることができて、便器（便座）に座って側方からリモコン操作部５を操作することができ、また、壁取付け部４の前面から前方に突出させる姿勢とすることで、モコン操作部５を上方又は斜め上方を向けることができて、立った姿勢で上方又は斜め上方を向いたリモコン操作部５を操作することができる。また、リモコン３をホルダー２から取外した状態で、手に持って使用することもできる。
【発明の効果】
【０００７】
本発明は、リモコン取付け部の姿勢を変えるという簡単な構成で、便器（便座）に座った状態、起立した状態のいずれの場合も楽にリモコン操作部の操作ができ、また、リモコンをホルダーから取外した状態で、手に持って使用することもできる。
【発明を実施するための最良の形態】
【０００８】
以下、本発明を添付図面に示す実施形態に基いて説明する。
【０００９】
本発明の便器用リモコン装置は、トイレの壁１に取付けるためのホルダー２と、便器装置を操作するための制御信号を送信するリモコン３とで構成してある。
【００１０】
ホルダー２は前後２層となっており、後の層がトイレの壁１に取付けるための板状をした壁取付け部４となり、前の層が板状をしたリモコン取付け部６となっている。
【００１１】
リモコン取付け部６は壁取付け部４の上端部にヒンジ部８により回動自在に取付けてあり、リモコン取付け部６の下部と壁取付け部４の下部とが折り畳み自在な連結部材９により連結してある。連結部材９は前端部をリモコン取付け部６に回動自在に取付けた前アーム１０と、前端部を前アーム１０の後端部に回動自在に取付けると共に後端部を壁取付け部４に回動自在に取付けた後アーム１１とで構成してあり、連結部材９を前アーム１０と後アーム１１とが重なるか又は前アーム１０と後アーム１１とのなす角度が最小となるように折り畳んだ状態が、板状のリモコン取付け部６の後面が板状の壁取付け部４の前面に重なった縦向き姿勢となるように構成してあり、また、連結部材９を前アーム１０と後アーム１１とが略一直線となるように展開した状態が板状のリモコン取付け部６が縦向き姿勢の壁取付け部４から前方に突出するように回動してリモコン取付け部６が斜め又は水平姿勢となるように構成してある。なお、この連結部材９を前アーム１０と後アーム１１とが略一直線となるように展開した状態では図示を省略しているが、保持手段により略一直線の展開状態を保持できるようになっている。
【００１２】
リモコン取付け部６の前面の両側には上下に細長い突部よりなる係止部１２が設けてあり、また、リモコン取付け部６の前面の下端部には受け部１３が設けてある。
【００１３】
上記の構成のホルダー２はトイレの壁１に壁取付け部４を取付け手段により取付けるようになっている。この場合、壁取付け部４は両面粘着テープ、木ねじ等の任意の取付け手段により取付けることができるが、壁取付け部４を木ねじにより取付ける場合、例えば、図１に示すようにリモコン取付け部６に木ねじの頭部よりも大径の大径孔１４を設け、リモコン取付け部６を壁取付け部４に重ねた状態で大径孔１４が壁取付け部４に設けた孔１６に対向するようにし、大径孔１４を通して壁取付け部４に設けた孔１６からトイレの壁１に木ねじを挿入して壁取付け部４をトイレの壁１に固着する。このようにすることで、リモコン取付け部６に邪魔されず壁取付け部４をトイレの壁１に木ねじで取付けることができ、また、大径孔１４が木ねじの頭部よりも大径であるため、リモコン取付け部６の回動に支障がない。
【００１４】
便器装置を操作するための制御信号を送信するリモコン３の前面には押釦等のリモコン操作部５が設けてあり、リモコン操作部５を操作することで、リモコン３から送信された制御信号がトイレ内に設置された便器（図示せず）に設けた受信部で受信され、便器洗浄（大便、小便に応じて大小洗浄水を吐水して便器の洗浄をする）の制御、あるいは、脱臭装置の制御、便座、弁蓋の開閉制御等の便器に備わっている便器付属機能部の制御が行われるようになっている。
【００１５】
リモコン３の両側には上下に長い長溝よりなる被係止部１５が設けてあり、この被係止部１５をホルダー２のリモコン取付け部６の係止部１２に上方からスライドして挿入することで着脱自在に係止してあり、被係止部１５を係止部１２に係止した取付け状態でリモコン３の下端が受け部１３で支持されて下方に落下しないようになっている。
【００１６】
このようにトイレの壁１に取付けたホルダー２にリモコン３を着脱自在に取付けた状態で、図２に示すように連結部材９を前アーム１０と後アーム１１とが重なるか又は前アーム１０と後アーム１１とのなす角度が最小となるように折り畳んでリモコン取付け部６が板状の壁取付け部４に重なって縦向き姿勢となった状態では、リモコン取付け部６の前面に取付けられたリモコン操作部５が側方を向く姿勢となる。このようにリモコン操作部５が側方を向く姿勢となっている場合は、使用者が便器（便座）に座って側方に手を伸ばしてリモコン操作部５を操作するのに適している。
【００１７】
一方、図３に示すように連結部材９を前アーム１０と後アーム１１とが略一直線となるように展開してリモコン取付け部６を壁取付け部４に対して回動して前方に突出させた状態では、リモコン取付け部６が壁取付け部４に対して斜め又は水平となるよう突出した姿勢となっているので、リモコン取付け部６に取付けたリモコン３のリモコン操作部５が上方又は斜め上方を向く姿勢となる。このようにリモコン３のリモコン操作部５が上方又は斜め上方を向く姿勢となっている場合は、使用者が起立した姿勢で下方に手を伸ばしてリモコン操作部５を操作するのに適している。
【００１８】
したがって、例えば、リモコン操作部５の操作を起立して操作する回数が多い場合は上記のようにリモコン操作部５が上方又は斜め上方を向く姿勢にして使用し、便器に座って操作する場合は、リモコン操作部５が側方を向く姿勢に直して使用するといったような使用形態の変更が選択できる。
【００１９】
また、リモコン３を上方に引き抜くことで被係止部１５と係止部１２との係止を解除して取外すことができるので、リモコン３をホルダー２から外して使用することもできる。
【図面の簡単な説明】
【００２０】
【図１】本発明の分解斜視図である。
【図２】同上のリモコン操作部が側方を向くようにした使用形態を示す側面図である。
【図３】同上のリモコン操作部が上方又は斜め上方を向くようにした使用形態を示す側面図である。
【符号の説明】
【００２１】
１  壁
２  ホルダー
３  リモコン
４  壁取付け部
５  リモコン操作部
６  リモコン取付け部
【図１】
2007092342.tif 000003
【図２】
2007092342.tif 000004
【図３】
2007092342.tif 000005